(57)【要約】【課題】  リモコンと呼び出しランプユニットとにそれぞれ備えられた１つずつのスイッチのみを操作して、解錠対象を選択可能な電動式の解錠装置を提供する。【解決手段】  リモコンのリセットスイッチを押すと、Ｓ１でリセットスイッチがＯＮされたことを確認し、Ｓ２にてサービススイッチを解錠モードでスタンバイさせ、Ｓ３では、スタンバイ状態にあるサービススイッチ（解錠スイッチ）が押圧操作された場合、その押圧回数を識別し、１回であればＳ５にてモータをガラス窓のロックを解除する方向に回転させ、２回或いはそれ以上であればＳ６にてモータを枠体のロックを解除する方向に回動させる。【選択図】    図２
2005328992.tif 000002
【特許請求の範囲】
【請求項１】
呼び出しランプユニット操作用リモコンに設けられた解錠スタンバイスイッチを押圧操作して呼び出しランプユニットに設けられた解錠スイッチをスタンバイ状態にした後、解錠スイッチがスタンバイ状態を維持している間に、その解錠スイッチを押圧操作してガラス窓或いは枠体のロックを解除可能とする電動式の解錠装置であり、押圧操作パターンの違いを区別し、それによって解除対象を選択可能とした遊技機の電動式解錠装置。
【請求項２】
押圧操作のパターンの違いを押圧回数で区別する請求項１に記載した遊技機の電動式解錠装置。
【請求項３】
押圧操作のパターンの違いを押圧時間で区別する請求項１に記載した遊技機の電動式解錠装置。
【発明の詳細な説明】
【技術分野】
【０００１】
本発明は、スロットマシン、パチンコ機、パチスロ機といったホールに設置される遊技機の電動式解錠装置に関する。
【背景技術】
【０００２】
遊技機は、盤面や回転リールの表示部を覆っているガラス窓、盤面の周囲を固定している枠体を、それぞれ枠体或いは基枠に対してヒンジにより片開き可能に取り付け、それらを前面側より開いてガラス窓内或いは裏側のメカニズムを調整可能な構造になっている。
それらガラス窓や枠体は、例えば特許文献１に開示のような施錠装置によってロックされており、必要に応じて解錠装置を操作して、ロックを解除するようになっている。
遊技機には、キーを鍵穴に差し込んで回動操作する手動式解錠装置が標準装備されているが、その解錠装置は製造会社や機種毎にキーの形状が異なるので、ホールに設置する際にはすべての解錠装置を一種類の統一キーで操作できるように交換するのが一般的である。
又その交換用の解錠装置として、最近は、特許文献２に記載のように、作業者の負担を軽減すべく、無線や赤外線を利用したリモコン式の電動式解錠装置も採用されている。
一方、ホールに設置された遊技機には、必ず各遊技機とセットで呼び出しランプユニットが配置されていて、その呼び出しランプユニットは、単に係員を呼ぶためのみにとどまらず、リモコンの操作で各種の表示を可能とした機能が組み込まれている。
そのため係員は解錠装置用のリモコンと、呼び出しランプユニット用のリモコンといった二つのリモコンを持ち歩かなくてはならないので、それらの二つのリモコンを一つに統合し、一つのリモコンで、呼び出しランプユニットと解錠装置との二通りの操作を可能とすることが望まれる。
【０００３】
【特許文献１】特開２０００−２７１３２２号公報
【特許文献２】実公平６−２７１１号公報
【発明の開示】
【発明が解決しようとする課題】
【０００４】
リモコンを一つに統合させる方法としては、呼び出しランプユニット用のリモコンに解錠機能を付加し、リモコンの操作でガラス窓や枠体のロックを解除できるようにすればよいが、リモコンのみで解錠操作を可能にすると、複製したリモコンを隠し持って不正操作されても見つけにくいので、防犯対策上好ましくない。
そこでリモコン側と呼び出しランプユニット側との両スイッチ操作を連携させた解錠システムが要望されているが、リモコンのスイッチや呼び出しランプのスイッチの配置や数は、押し間違いをなくすためにこれまで使い慣れた機器との互換性を持たせたく、できれば変更を最小限に留めたい。
そのためには、解錠装置用として割り当てられるスイッチの余裕は、リモコンに一つと、呼び出しランプユニットに一つの計二つしかないので、リモコンのスイッチを押して呼び出しランプユニットのスイッチを有効にし、その有効となったスイッチを押すことにより解錠させるとなると、ガラス窓と枠体のいずれか一方のみか、両方のロックを同時に外すかのいずれかに限定され、ガラス窓か枠体かを選択することができない。
【課題を解決するための手段】
【０００５】
本発明は、リモコンと呼び出しランプユニットとにそれぞれ一つづつ割当てられたスイッチの操作により、解錠対象を選択可能とした電動式解錠装置であって、その構成は、呼び出しランプユニット操作用リモコンに設けられた解錠スタンバイスイッチを押圧操作して呼び出しランプユニットに設けられた解錠スイッチをスタンバイ状態にした後、解錠スイッチがスタンバイ状態を維持している間に、その解錠スイッチを押圧操作してガラス窓或いは枠体のロックを解除可能とする電動式の解錠装置にあり、押圧操作パターンの違いを区別し、それによって解除対象を選択可能としたことにある。
【０００６】
前記押圧操作のパターンの違いは、押圧回数で区別したり、押圧時間で区別することができる
【発明の効果】
【０００７】
リモコンに解錠スタンバイ用として割り当てられたスイッチを押した後、呼び出しランプユニットに割り当てられた解錠スイッチを操作しなければロックを解除することができないので、隠し持ったリモコンだけで不正操作されることを予防できるし、解錠対象を押圧パターンにて区別するので、呼び出しスイッチユニット側では１つのスイッチで賄える。
【０００８】
又、回数で識別するようにすれば、解錠対象が増えても対応できるし、回数を特定すれば、その回数を一種の暗号として利用できる。
押圧時間で識別させれば、押しているか押していないかは見ただけで区別しにくいので、操作方法を見抜かれにくい。
【発明を実施するための最良の形態】
【０００９】
本発明に係る解錠装置を図面に基づいて説明する。
図１はパチスロ機に取り付けた電動式解錠装置の操作例を示したもので、パチスロ機１の前面ほぼ中央部には、ガラス窓で覆われ、周囲を枠体で固定された盤面２が設定されており、その盤面の大半は、回転することによって絵柄の表示が変わる三連装のリール表示窓３で占められ、その左脇には、コインの投入、又はベッドした際に有効になっているラインを表示する有効ラインランプ４や、その時々に必要なマックス数のコインをワンプッシュでベッドするマックスベッド表示５、リールに表示されている絵文字のうち、何が揃うと何枚払い出しされるのか、又、ビッグボーナスやレギュラーボーナスの絵柄の組み合わせなどを表示する役構成表などの表示画面６が配置され、下縁の手前にはコインを投入するためのコイン投入口７、リールを回転させるレバー８、リールを停止させるためのストップスイッチ９、９，９などが配置されている。
前記ガラス窓と枠体はそれぞれ片開き可能に組み付けられている。
尚、前面下部に設けられている１０は、コイン払い出し口である。
【００１０】
パチスロ機１の上部前面には呼び出しランプユニット１１が組み付けられており、この呼び出しランプユニット１１には、係員を呼ぶためのＣＡＬＬスイッチ１２、そのＣＡＬＬスイッチに反応して点灯するＣＡＬＬランプ１３、１３に加え、係員専用のサービススイッチ１４、その他各種の表示が可能なディスプレイ１５が設けられている。
【００１１】
操作部の右脇下部にはモータが内蔵された電動式解錠装置１６が組み込まれており、この電動式解錠装置１６は、標準装備されていた手動式の解錠装置を取り外し、その手動式の解錠装置と交換されたものである。
そしてこの電動式解錠装置のモータは、呼び出しスイッチユニット１１に内蔵されたコントローラにより、中立位置を基準として、回動方向、回動角度などが制御されるようになっていて、実施例では中立位置をセンサで検知し、回動角度はパルス数で制御されている。
【００１２】
１７はリモコンであって、４つのスイッチを備えた既存の呼び出しランプユニット専用のものを一切改造せずに流用しているが、呼び出しランプユニット１１は、内部のコントローラを改造し、スイッチの機能に変更が加えられている。
因みにリモコン１７には、連続モードと無制限の切り換えをするためのセレクタスイッチ１８、食事中であることを表示させるランチタイム設定スイッチ１９、不在である空時間を表示させるタイムスイッチ２０、それにＣＡＬＬ機能をリセットして初期状態に戻すリセットスイッチ２１と、４つのスイッチが装備されており、そのうちのリセットスイッチ２１は、本来、ＣＡＬＬスイッチによって点灯したＣＡＬＬランプを消すために使用されるが、前記コントローラの改造によって、初期状態に戻す以外の特殊用途が付加されている。
【００１３】
解錠操作の一例を説明すると、お客がＣＡＬＬスイッチ１２を押し、ＣＡＬＬランプ１３、１３を点灯させて係員を呼ぶと、駆けつけた係員はまずリモコン１７を呼び出しランプユニットに向けてリセットスイッチ２１を押し、ＣＡＬＬランプ１３、１３を消灯させた後にお客の要望に対応する。
お客の要望に応えるに為に、ガラス窓や枠体を開く必要があると認めた場合、解錠操作を実行する。
解錠操作は、再度リモコン１７のリセットスイッチ２１を押すことから始まる。
ＣＡＬＬランプが点灯していないなど呼び出しランプユニット１１が待機状態では、リモコン１７のリセットスイッチ２１が押されると、呼び出しランプユニット１１のサービススイッチ１４を解錠スイッチとして機能するよう一時的に変更し、例えば１０秒間解錠モードでスタンバイさせる解錠スタンバイスイッチとして機能するようになっている。
よってその１０秒間スタンバイしている間に解錠モードのサービススイッチ（解錠スイッチ）１４を押せば、解錠動作される。
【００１４】
解錠動作は、まずＳ１で前記リモコンのリセットスイッチ２１がＯＮされたかを確認し、リセットスイッチ２１のＯＮの信号が受信されたら、Ｓ２にてサービススイッチ１４を解錠モードでスタンバイさせる。
図３に示すように、呼び出しランプユニット１１のサービススイッチ１４を押圧すると、Ｓ３で、スタンバイ状態にあるサービススイッチ（解錠スイッチ）１４が押圧操作されたかを確認し、Ｓ４でその押圧された回数が１回のみか複数か複数回かを判別し、１回であればＳ５にてモータをガラス窓のロックを解除する方向に回転させ、２回或いはそれ以上であればＳ６にてモータを枠体のロックを解除する方向に回動させ、ガラス窓か枠体かのいずれかのロックを解除する。
【００１５】
このようにリモコンのみの操作でなく、呼び出しランプユニットのスイッチも操作しなくてはならないので、解錠行為をカメラなどで監視しやすく、又、解錠対象を回数にて判別するので、呼び出しランプユニットに必要なスイッチ数が１つですみ、スイッチの数を増やすことなく解錠対象がガラス窓か枠体を選択することができる。
【００１６】
前記実施例は押圧パターンの違いを回数により判別しているが、押圧している時間の区別にて識別するようにもできる。
その場合は、前記図２のフローチャートにおいて、Ｓ４を、押圧時間が例えば１秒以上続いたかどうかの区別に変更するだけであり、第三者は、見ていてもスイッチに触れているだけなのか押しているのかの判別がしにくいので、操作手順を悟られにくい。
【００１７】
モータの制御には、中立位置や回転角度をセンサや電流値で検知させるなど適宜変更して差し支えない。
又、遊技機はパチスロ機以外にパチンコ機、スロットマシンなどにも適用できる。
尚、本発明は呼び出しランプユニットと協働して解錠操作させる電動式解錠装置であるが、押圧操作パターンの違いによって解錠対象を区別する手法は、単独で動作する電動式解錠装置にも適用できる。
【図面の簡単な説明】
【００１８】
【図１】リモコンによる本発明に係る電動式解錠装置の操作を示した説明図である。
【図２】呼び出しランプユニット内にて制御される解錠動作のフローチャートを示した説明図である。
【図３】呼び出しランプユニット側の解錠操作説明図である。
【符号の説明】
【００１９】
１・・パチスロ機、２・・盤面、３・・リール表示窓、４・・有効ラインランプ、５・・マックスベッド表示、６・・表示画面、７・・コイン投入口、８・・レバー、９・・ストップスイッチ、１０・・コイン払い出し口、１１・・呼び出しランプユニット、１２・・ＣＡＬＬスイッチ、１３・・ＣＡＬＬランプ、１４・・サービススイッチ（解錠スイッチ）、１５・・ディスプレイ、１６・・解錠装置、１７・・リモコン、１８・・セレクタスイッチ、１９・・ランチタイム設定スイッチ、２０・・タイムスイッチ、２１・・リセットスイッチ。
【図１】
2005328992.tif 000003
【図２】
2005328992.tif 000004
【図３】
2005328992.tif 000005